(57)【要約】【課題】ボンベにガスの注入器具を装着したまま包装でき、また付属品を全て容器に連結して容器の往復時に付属品が紛失するのを防止したガスボンベの包装装置を提供すること。【解決手段】包装容器がプラスチック材で形成されており、断面方形に形成した有底筒体の下部本体１１と、下部本体の開口部に摺動自在に嵌合し天板に形成した口部立ち上がりに着脱自在に蓋体１３を設けた上部本体１２を有する。下部本体と上部本体の接合部にストッパ機構とロック機構を設ける。包装容器１０にガスの注入器具１０２を付けたままボンベ１００を包装できるので、ガス使用者はボンベが届けば直ぐに使用できる。包装容器１０の各部材が全て連結されているので、容器の往復時に付属品の紛失が防止できる。【選択図】      図１
2004224410.tif 000002
【特許請求の範囲】
【請求項１】
包装容器がプラスチック材で形成されており、断面方形に形成した有底筒体の下部本体（１１）と、該下部本体の開口部に摺動自在に嵌合し天板に形成した口部立ち上がりに着脱自在に蓋体（１３）を設けた上部本体（１２）を有し、上記下部本体と上部本体の接合部にストッパ機構（２２）とロック機構（２５）を設け、上記ストッパ機構が下部本体に設けたイタバネ（２３）と上部本体の縁部に設けたストッパ受け（２４）であり、上記ロック機構が上部本体と下部本体を貫通して両者を締め付けるロックネジ（２６）であり、当該包装容器にガスの注入器具を付けたままボンベを包装できるようにしたことを特徴とするガスボンベの包装装置。
【請求項２】
下部本体（１１）に開口部近傍から中程に至る凹状レール（２０）を設け、上部本体（１２）に該凹状レールに対応する位置に内側に向かって突出する突起（２１）を設け、該突起を上記凹状レールに嵌合したことを特徴とする請求項１に記載のガスボンベの包装装置。
【請求項３】
上部本体（１２）と蓋体（１３）を連結紐により連結したことを特徴とする請求項１に記載のガスボンベの包装装置。
【請求項４】
下部本体（１１）と上部本体（１２）に搬送ベルト（３３）を設けたことを特徴とする請求項１に記載のガスボンベの包装装置。
【発明の詳細な説明】
【０００１】
【発明の属する技術分野】
本発明は、ガスボンベの包装装置に関しており、さらに詳しくは一般貨物と混載して搬送できるようにした包装装置に関するものである。
【０００２】
【従来の技術】
ガスボンベを包装する包装装置は、例えば、本願発明者が提案した実開平４−１２４９６９号公開公報記載の考案が知られている。
【０００３】
提案された上記考案は、図８に示すように、プラスチック材で形成した胴部筐体２と、該胴部筐体２の頭部開口に嵌合し頂部に透孔７を設けプラスチック材を椀状に形成したカバー６とからなり、胴部筐体２とカバー６は結合部を締結ボルト８により固定し、ボンベ１２を胴部筐体２内に収容し、カバー６の透孔７からボンベ１２の元栓１３および口部ネジ１４を突出し、当該口部ネジ１４に保護キャップ１５を結合したものである。
【０００４】
提案された考案は、ガスボンベを一般貨物と混載できるようにした包装手段として画期的なものであったが、使用された結果いくつかの改良点がでてきた。すなわち、提案された従来構造は、ガス使用者にボンベが搬送された時に、使用者は、まず保護キャップを外し次いでボンベに注入器具を装着してからでないとガスを使用することができなかった。このため、ガス供給者は注入器具を付属部品としてボンベとともに搬送しており、また、ガス使用者はボンベを返送する時に注入器具を外し、搬送時に装着されていた保護キャップを再びボンベの口部ネジに装着して外した注入器具とともに返送する必要があるなどの不便を強いられていた。
【０００５】
ガスは、ボンベに充填されて流通するものであり、ボンベはガスの供給者と使用者の間を往復する容器であるから、付属品や取り外された部品は元の位置に戻されて返送されないと、ガス供給者がガスを供給するたびに、付属品および部品を補充しなくてはならないといった不都合が生じてくる。
【０００６】
【発明が解決しようとする課題】
本発明は、ボンベにガスの注入器具を装着したまま包装でき、また付属品を全て容器に連結して付属品を着脱する手数を省くとともに、容器の往復時に付属品が紛失するのを防止したガスボンベの包装装置を提供するものである。
【０００７】
【課題を解決するための手段】
解決手段は、包装容器がプラスチック材で形成されており、断面方形に形成した有底筒体の下部本体と、該下部本体の開口部に摺動自在に嵌合し天板に形成した口部立ち上がりに着脱自在に蓋体を設けた上部本体を有し、上記下部本体と上部本体の接合部にストッパ機構とロック機構を設け、上記ストッパ機構が下部本体に設けたイタバネと上部本体の縁部に設けたストッパ受けであり、上記ロック機構が上部本体と下部本体を貫通して両者を締め付けるロックネジであり、当該包装容器にガスの注入器具を付けたままボンベを包装できるようにしたことを特徴とするものである。
上記解決手段において、下部本体は開口部近傍から中程に至る凹状レールを設け、上部本体は該凹状レールに対応する位置に内側に向かって突出する突起を設け、該突起を上記凹状レールに嵌合したことを特徴とする。
上記解決手段において、上部本体と蓋体が連結紐により連結したことを特徴とする。
上記解決手段において、下部本体と上部本体に搬送ベルトを設けたことを特徴とする。
【０００８】
【発明の実施の形態】
図１は本発明の実施形態を示す全体の斜視図、図２は正面図、図３は側面図、図４は図１のＡ−Ａ断面図、図５は図１のＢ−Ｂ断面図、図６は蓋体とケース本体のストッパ機構を示す断面図、図７は図２のＣ−Ｃ断面図である。
【０００９】
これらの図において、包装容器１０は、下部本体１１と上部本体１２と該上部本体１２の天板に被せる蓋体１３とから構成されており、いずれもプラスチック製である。下部本体１１は断面方形に形成された筒形の有底容器であり、上部本体１２も断面方形であり、下部本体１１の開口部に装着して軸方向にスライドできるものである。上部本体１２を引き伸ばしたとき包装容器１０内にボンベが収容できる長さであり、この長さが包装容器１０を搬送する時の長さである。蓋体１３は上部本体１２の天板に形成した口部１４の立ち上がりに着脱できるものであり、該口部１４の立ち上がりに設けた嵌合溝１５に蓋体１３の内側に設けた図示しない突起を係合して両者を結合する。なお、上部本体１２と蓋体１３は連結紐１６により連結されている。
【００１０】
また、上部本体１１の底部には底面視で円形のタイヤカバー１７が設けられており、包装容器１０を転がして運ぶときに都合がよい。タイヤカバー１７は、本体底部に突出したリング形状の隆起部に皿状の部品を嵌めて形成したものであって磨耗した時は交換できるようになっている。
【００１１】
下部本体１１は、開口部近傍からケースの中程に至る凹状レール２０が正面および背面面にそれぞれ２条ずつ形成されている。また、凹状レール２０を形成した部分はスライド部１１ａとして本体胴部１１ｂよりも若干小径に形成されており、該スライド部１１ａに上記の上部本体１２を摺動自在に嵌合させている。下部本体１１に嵌合した上部本体１２は、凹状レール２０と対応する位置に内側に向かって突出する突起２１が設けられており、上部本体１２は該突起２１が凹状レール２０に嵌合した状態で軸方向に摺動する。
【００１２】
下部本体１１に摺動自在に設けた上部本体１２は、下部本体１１から引き上げられた時に突起２１が凹状レール２０の上端に係合して脱出しないようになっており、また、この状態で上部本体１２を静止させるストッパ機構２２が下部本体１１と上部本体１２の双方に設けられている。ストッパ機構２２は、図６に示すように、下部本体１１の正面および背面の凹状レール２０の中間に設けたイタバネ２３と上部本体１２の縁部に形成したストッパ受け２４であり、上記イタバネ２３の先端をかぎ型に折り曲げた係止部２３ａと上記ストッパ受け２４を係合して上部本体１２が下部本体１１から引き上げられた状態を保持している。
【００１３】
上部本体１２がストッパ機構２２によって静止している状態を保障するため、上部本体１２と下部本体１１を結合するロック機構２５が設けられている。ロック機構２５は、図７に示すように、上部本体１２と下部本体１１を貫通するロックネジ２６と、上部本体１２に形成した通孔２７に対応して下部本体１１に設けた雌ネジ２８からなり、上部本体１２が引き上げられた状態でロックネジ２６を通孔２７から通して雌ネジ２８に締め付け、上部本体１２と下部本体１１を固定して搬送中における事故を防止する。なお、ロックネジ２６は上部本体１２に連結紐２９によって連結されている。
【００１４】
上記した下部本体１１には、ボンベ１００を収容したときに当該ボンベ１００が安定した姿勢で収容できるようにするために、ケース胴部の下端近傍にケース内側に向かって突出させた環状支持部３０を形成している。上記した環状支持部３０によって下部本体１１内に収容するボンベ１００を支持するが、ケースの正面および背面において当該環状支持部３０よりもさらにケース内側に突出した支持当て部３１を形成してボンベの支持を確かなものにしている。なお、下部本体１１の上方は、凹状レール２０がボンベを支持する役割を果たしているが、開口部近傍にも両側面に上記環状支持部３０と同じ構造の上方支持部３２を形成してボンベのガタつきを解消している。
【００１５】
ボンベ１００を包装容器１０に収容するときは、上部本体１２を下部本体１１から外して該下部本体１１内に収容する。上部本体１２は、下部本体１１に対して摺動自在に嵌合されていて通常の力では抜け出ることはないが、強い力で引っ張れば下部本体１１から外れるので、ボンベを収容するときは上部本体１２を下部本体１１から外して下部本体１１に収容する。下部本体１１の高さはボンベの肩口が露出する程度に形成されている。図１はガスの使用時を示しており、ボンベ１００を下部本体１１に収容してから上部本体１２の蓋体１３を外し、当該上部本体１２を下げるとボンベ１００の頭部が上部本体１２の口部１４から露出する。なお、ボンベ１００の頭部には元栓１０１と注入器具１０２が設けられている。
【００１６】
本発明のボンベ１００は、ふうせん用のヘリウムガスを充填したものであり、ガスを使用する時は、元栓１０１を開き、注入器具１０２に図示しないふうせん口部を装着したまま押し下げるとボンベ内のガスが当該注入器具１０２から出る構造になっている。
【００１７】
包装容器１０は、下部本体１１および上部本体１２が断面方形であるから、搬送時は容器を横積みにすることができる。搬送作業を容易にするため下部本体１１と上部本体１２に搬送ベルト３３を設けている。また、包装容器１０を横積みしたとき、容器の側分を擦って表面を傷つけないようにするため、搬送ベルト３３を設けた反対側の下部および上部本体１１，１２に複数のリブ３４を形成しておくとよい。
【００１８】
この他、下部本体１１および上部本体１２には、図示しないが、ボンベ内のガスがふうせん用のヘリウムガスであることならびにガス取扱い上の注意書きを表示し、また搬送伝票を貼付する欄を設けることができる。
【００１９】
ガスを充填したボンベが搬送されたら、まず蓋体１３を外し次いでロックネジ２６を外す。次に、正面および背面のイタバネ２３を内側に押し込んでストッパ機構２２を解除して上部本体１２を下げる。図１に示すように上部本体１２を下げたときにボンベ１００の頭部が露出しているので、この状態で直ちにガスが使用できる。元栓１０１を緩めてから注入器具１０２にふうせんを装着し、このまま注入器具１０２を押し込むとガスがふうせんに入る。ガスの使用を終了したときは上記と逆の手順で包装容器を組み立てガス供給業者に返送する。
【００２０】
実施形態は、ボンベに充填するガスがふうせん用のヘリウムガスであるが、本発明がガスの種類を問わずあらゆるガスに適用できることは言うまでもない。ガスはボンベ１００を包装容器１０に収容した状態で充填できる。また、実施形態は、包装容器１０を縦積み横積みのいずれの方法でも搬送できるものである。
【００２１】
【発明の効果】
本発明の包装容器は、ボンベにガスの注入器具を装着したまま搬送できるものであるから、ガス使用者はボンベが届いたときに直ちにガスが使用できることの効果を有するとともに、付属品が全て容器に連結されているのでボンベの往復時に部品が紛失するのを防止できるものである。
【図面の簡単な説明】
【図１】本発明の実施形態を示す全体の斜視図。
【図２】全体の正面図。
【図３】全体の側面図。
【図４】図１のＡ−Ａ断面図。
【図５】図１のＢ−Ｂ断面図。
【図６】蓋体とケース本体のストッパ機構を示す断面図。
【図７】図２のＣ−Ｃ断面図。
【図８】従来構造を示す斜視図。
【符号の説明】
１０  包装容器
１１  下部本体
１２  上部本体
１３  蓋体
１４  口部
１５  嵌合溝
１６  連結紐
１７  タイヤカバー
２０  凹状レール
２１  突起
２２  ストッパ機構
２３  イタバネ
２４  ストッパ受け
２５  ロック機構
２６  ロックネジ
２７  通孔
２８  雌ネジ部
２９  連結紐
３０  環状支持部
３１  支持当て部
３２  上方支持部
３３  搬送ベルト
３４  リブ
１００  ボンベ
１０１  元栓
１０２  注入器具
【図１】
2004224410.tif 000003
【図２】
2004224410.tif 000004
【図３】
2004224410.tif 000005
【図４】
2004224410.tif 000006
【図５】
2004224410.tif 000007
【図６】
2004224410.tif 000008
【図７】
2004224410.tif 000009
【図８】
2004224410.tif 000010